(57)【特許請求の範囲】
【請求項１】
ＩＣカードを電話機のカード挿入口に挿入し、ＩＣカードの端子と電話機のコンタクトピンとを接触させて利用する、ＩＣカード利用システムにおける電話機であって、ＩＣカード挿入口部と挿入されたＩＣカード間で、ＩＣカード通過面を直交するように横切り、不正配線の有無を機械的に確認する確認手段を備えており、該確認手段が電話機のコンタクトピンと一体となったＩＣカードに対して略直交する板であり、該板はコンタクトピンよりもＩＣカード通過面に近くまで延ばして配設されていることを特徴とする電話機。
【発明の詳細な説明】
【０００１】
【産業上の利用分野】
本発明は，ＩＣカードシステムにおける不正使用に関し、詳しくは、外部への電気信号漏洩や外部からの不正な信号の入力を防止できる電話機（リーダライタ）に関する。
【０００２】
【従来の技術】
ＩＣカードは新しい情報記録媒体として、特に磁気カードに代わる情報記録媒体として注目を集めており次第に普及しつつある。
ＩＣカードは小型のカードにメモリ及び電極などを一体化したＩＣモジュールが搭載されたものであり、従来より、電話機にＩＣカードを挿入して利用するＩＣカードシステムにおけるＩＣプリペイドカード等として使用されている。
ＩＣカードを用いて電話機を利用するＩＣカードシステムは、ユーザが必要に応じてＩＣプリペイドカードを購入し、公衆電話機にカードをセットし電話をかけるもので、リーダライタ（Ｒ／Ｗ）である公衆電話機は電気信号によりＩＣカードのメモリ内の度数を読み出し、残度数に応じて通話の継続切断を制御している。
しかし、図３に示すように、ＩＣカードの端子に不正配線を接続し、ＩＣブレッドボード（評価ボード）のようなものを用いても、使用できてしまうという問題があった。
これに対応する為、従来、このシステムの場合、カードの端子部に不正配線を接続させて電気信号を外部に読み出す電気信号の漏洩を防ぐ目的で、不正配線を検知するための蓋を電話機（リーダライタ）の入口に設ける方法が採られていた。
【０００３】
【発明が解決しようとする課題】
しかし、この従来の方法では、公衆電話機には蓋の開閉のための可動部が必要となり、故障が発生しやすいという問題や、蓋を壊すことによって容易に不正なカードの挿入が可能となってしまう問題があった。
また、ＩＣカードからの不正配線自体がきわめて薄い場合には、防ぐことができない等の問題もあった。
本発明は、このような状況のもと、簡単な構造で故障を発生させず、且つ、外部への電気信号漏洩や外部からの不正電気信号の入力を防止できる電話機（リーダライタ）を提供しようとするものである。
【０００４】
【課題を解決するための手段】
本発明の電話機は、ＩＣカードを電話機のカード挿入口に挿入し、ＩＣカードの端子と電話機のコンタクトピンとを接触させて利用する、ＩＣカード利用システムにおける電話機であって、ＩＣカード挿入口部と挿入されたＩＣカード間で、ＩＣカード通過面を直交するように横切り、不正配線の有無を機械的に確認する確認手段を備えており、該確認手段が電話機のコンタクトピンと一体となったＩＣカードに対して略直交する板であり、該板はコンタクトピンよりもＩＣカード通過面に近くまで延ばして配設されていることを特徴とするものである。
【０００５】
【作用】
本発明の電話機は、上記のように、ＩＣカード挿入口部と挿入されたＩＣカード間で、ＩＣカード通過面を直交するように横切り、不正配線の有無を機械的に確認する確認手段を備えていることにより、不正配線がある場合には前記確認手段により、確実に不正配線を接触して検知することができる。
具体的には、上記の不正配線の有無を機械的に確認する確認手段が、電話機のコンタクトピンと一体となった、ＩＣカードに対して略直交する板であり、該ＩＣカードに対して略直交する板が、コンタクトピンよりもＩＣカード通過面に近くまで延ばして配設されていることにより、コンタクトピンを移動させ、ＩＣカードと接触（コンタクト）させて通信を行おうとする際には、不正配線がある場合、前記ＩＣカードに対して直交する板が不正配線部にて止められ、接触（コンタクト）動作ができないものとしている。
【０００６】
【実施例】
本発明の電話機の実施例を挙げ、図にもとづいて説明する。
図１は実施例電話機の要部構成の概略横断面図で、図１中、１００は公衆電話機、１０は第一の送りローラ、１０１Ａ、１０１Ｂはローラ、１０２は第二の送りローラ、１０２Ａ、１０２Ｂはローラ、１０３は確認板、１０４はコンタクト、１０５はコンタクトピン、１０６はカード挿入口、１１０はＩＣカードである。
図１に示す本実施例の公衆電話機１００は、ＩＣカード１１０を公衆電話機１００のカード挿入口１０６から挿入した後、ＩＣカード１１０の端子部と公衆電話機１００のコンタクト１０４の端子ピン１０５とを接触させて使用するＩＣカード利用の電話機システムの電話機であるが、ＩＣカードを電話機のカード挿入口に挿入して利用する際、その都度、ＩＣカードに不正配線が接続されているか否かの検知を、コンタクトピンと一体となり、ＩＣカード１１０が通過する面に直交し、且つ、コンタクトピンよりもＩＣカード１１０の通過面に近くまで配設された確認板１０３により、機械的に行う電話機である。
【０００７】
以下、図２にもとづいて、不正配線の有無を検知する動作について説明する。図２は、ＩＣカードがコンタクトピンとＩＣカードの端子部との接触（コンタクト）を行う位置に到達し、コンタクトピンとＩＣカードの端子部とを接触させる際の図を示しており、図２（ａ）は正規のＩＣカードの場合、図２（ｂ）は不正配線を有する不正ＩＣカードの場合である。
正規のＩＣカードの場合には、図２（ａ）に示すように、コンタクトピン１０４がＩＣカードの端子側へ移動され端子部と接触を図る際、先ず、確認板１０３はＩＣカード１１０とＩＣカード挿入口１０６との間のＩＣカード通過面を横切るが、この際、不正配線がないため不正配線は機械的に確認されない。不正配線がないため確認板１０３は不正配線により機械的に止められることもなく、更に深くＩＣカード通過面を横切る。次いで、ＩＣカードの端子にコンタクトピン１０５が接触（コンタクト）する。
不正配線を有する不正ＩＣカード１２０の場合は、図２（ｂ）に示すように、コンタクトピン１０４はＩＣカードの端子側へ移動され端子部と接触を図る際、先ず、確認板１０３はＩＣカード１１０とＩＣカード挿入口１０６との間のＩＣカード通過面を横切るが、この際、不正配線１２０Ａがあるため不正配線は確認板１０３により機械的に確認される。本実施例の場合は、確認板１０３は、コンタクトピンと一体となっているため、不正配線があり、確認板１０３が不正配線により機械的に止められることにより、コンタクトピンも確認板１０３と一体となって止められる。
【０００８】
上記のように、本実施例の場合は、コンタクトピンと一体となった確認板１０３を用いていることにより、不正配線の確認手段と確認された内容をコンタクト動作制御へフイードバックする手段とを別にしていない為、装置が簡単となり、不正配線がある場合には確実に通信できない状態とすることができるものである。
尚、不正配線の確認手段と確認された内容をコンタクト動作制御へフイードバックする手段とを別にしても良い。
【０００９】
【発明の効果】
本発明は、上記のように、ＩＣカード挿入口部と挿入されたＩＣカード間で、ＩＣカード通過面を直交するように横切り、不正配線の有無を機械的に確認することにより、ＩＣカードの不正配線の有無を検知することができるもので、これにより、外部への電気信号漏洩や外部からの不正電気信号の入力を防止可能としている。
【図面の簡単な説明】
【図１】実施例の電話機の概略図
【図２】不正配線の有無を検知する動作を説明するための図
【図３】不正配線を有するＩＣカードの例を示す図
【符号の説明】
１００                      公衆電話機
１０１                      第一の送りローラ
１０１Ａ、１０１Ｂ          ローラ
１０２                      第二の送りローラ
１０２Ａ、１０２Ｂ          ローラ
１０３                      確認板
１０４                      コンタクト
１０５                      コンタクトピン
１０６                      カード挿入口
１１０                      ＩＣカード
１２０                      不正ＩＣカード
１２０Ａ                    不正配線
【図１】
0003813194.tif 000002
【図２】
0003813194.tif 000003
【図３】
0003813194.tif 000004